(57)【要約】【課題】階調毎に異なるキックバック電圧が発生する液晶表示装置においても、フリッカーの発生を均一に補償することができる液晶表示装置及びその駆動装置を提供する。【解決手段】互いに対向する第１基板及び第２基板；第１及び第２基板のうちの１つに形成されている画素電極、共通電極、及び保持容量電極を含み、液晶物質を媒介として画素電極と共通電極の間に液晶容量が形成され、絶縁層を媒介として画素電極と保持容量電極の間に保持容量が形成されるマルチセルギャップを有する液晶表示装置であって、特にセルギャップによって維持容量が可変する。
2005521901.tif 000002
【特許請求の範囲】
【請求項１】
互いに対向する第１基板及び第２基板と、
前記第１及び第２基板のうちの１つに形成されている画素電極、共通電極及び保持容量電極と、
を含み、液晶物質を媒介として画素電極と共通電極の間に液晶容量が形成され、絶縁層を媒介として画素電極と保持容量電極の間に保持容量が形成されるマルチセルギャップを有する液晶表示装置において、
前記セルギャップによって前記維持容量が異なる液晶表示装置。
【請求項２】
前記セルギャップが小さい方の画素の保持容量が、セルギャップが大きい方の画素の保持容量よりも小さい請求項１に記載の液晶表示装置。
【請求項３】
画素毎に前記液晶容量と前記保持容量の和が一定である請求項１に記載の液晶表示装置。
【請求項４】
複数のゲート線及びデータ線が各々行方向及び列方向に形成され、前記ゲート線とデータ線の交差にて定義される領域に各々前記ゲート線及びデータ線に連結されているスイッチング素子を有する複数の画素が形成されている液晶パネルと、
前記ゲート線にゲート電圧を供給するスキャン駆動部と、
印加されるデータ信号に基づいて該当する階調電圧を前記データ線に供給するデータ駆動部と、
複数の階調電圧を生成して前記データ駆動部に供給する階調電圧発生部と、
を含み、前記階調電圧は正の階調電圧と負の階調電圧を含み、前記正の階調電圧と負の階調電圧の基準値が階調によって可変する液晶表示装置。
【請求項５】
前記階調電圧発生部は、
印加される第１電圧と基準電圧の間に直列に形成された複数の抵抗を含み、複数の正の階調電圧を生成する第１抵抗列と、
前記基準電圧と印加される第２電圧の間に直列に形成された複数の抵抗を含み、複数の負の階調電圧を生成する第２抵抗列と、
前記第１電圧と第２電圧を分圧して基準電圧を生成し、前記第１及び第２抵抗列に供給する電圧調節部と、
を含み、前記基準電圧は階調によって可変する請求項４に記載の液晶表示装置。
【請求項６】
前記基準電圧は（（第１電圧＋第２電圧）／２）＋αの値を有する請求項５に記載の液晶表示装置。
【請求項７】
前記電圧調節部は、前記第１電圧と第２電圧の間に直列に形成されている少なくとも２つ以上の抵抗からなり、前記抵抗は互いに異なる値を持つ請求項５に記載の液晶表示装置。
【発明の詳細な説明】
【技術分野】
【０００１】
本発明は液晶表示装置（liquid crystal display;以下、ＬＣＤという）に関し、より詳細には、フリッカーを減少させるための液晶表示装置及びその駆動装置に関する。
【背景技術】
【０００２】
ＴＦＴ-ＬＣＤは、２つの基板の間に注入されている異方性誘電率を有する液晶物質に電界を印加し、この電界の強さを調節して基板に透過する光の量を調節することによって、所望の画像信号を得る表示装置である。
【０００３】
このようなＴＦＴ-ＬＣＤの基板上には、互いに平行な複数のゲート線とこのゲート線に絶縁されて交差する複数のデータ線が形成され、これらゲート線とデータ線によって囲まれた領域は１つの画素を規定する。各画素のゲート線とデータ線が交差する部分にはＴＦＴが形成される。
【０００４】
ＴＦＴ-ＬＣＤにおいて、各画素ごとにＴＦＴのゲート電極、ソース電極、ドレーン電極は各々ゲート線、データ線、画素電極に連結され、画素電極と共通電極の間には液晶物質である液晶容量が形成される。そして、画素電極と前述したゲート線の間には保持容量が形成され、ゲート電極とドレーン電極の間には誤整列（misalignment）等に起因する寄生容量が生じる。
【０００５】
このようなＴＦＴ-ＬＣＤの動作に関して説明する。
【０００６】
まず、表示しようとするゲート線に連結されたゲート電極にゲートオン電圧を印加してＴＦＴを導通させた後、画像信号を表示するデータ電圧をソース電極に印加して、このデータ電圧をドレーン電極に印加するようにする。すると、前記データ電圧は画素電極を通じて各々液晶容量と保持容量に印加され、画素電極と共通電極の電位差によって電界が形成される。この時、液晶物質に同じ方向の電界が引続き印加されると液晶が劣化するので、ＬＣＤパネルでは液晶の劣化を防ぐために、画像信号を共通電極に対して正、負交互に駆動し、このような駆動方式を反転駆動方式という。
【０００７】
一方、ＴＦＴがオン状態となった時、液晶容量及び保持容量に印加された電圧はＴＦＴがオフの状態になってからも継続されなければならないが、ゲート電極とドレーン電極の間にある寄生容量のため、画素電極に印加された電圧が歪曲する。このような歪曲電圧をキックバック電圧（kick-back）というが、このキックバック電圧（ΔV）は次の数式によって求められる。
【０００８】
【数１】
2005521901.tif 000003
ここで、ΔVgはゲート電圧の変化量（Vgon-Vgoff）を意味する。
【０００９】
この電圧歪曲は、データ電圧の極性に関係なく常に画素電極の電圧を引き下げる方向に働く。
【００１０】
理想のＴＦＴ-ＬＣＤでは、ゲート電圧がオンである時にデータ電圧が画素電極に印加され、ゲート電圧がオフになってもデータ電圧を維持するが、実際のＴＦＴ-ＬＣＤでは、ゲート電圧が変わる部分ではキックバック電圧（ΔV）の影響で画素電圧がキックバック電圧だけ下方に下がる。
【００１１】
一方、液晶に印加される電圧の実効値は、画素電圧と共通電圧の間の面積で決められるが、液晶表示装置を反転駆動方式によって駆動する場合は、共通電圧を中心に画素電圧の領域が対称になるように共通電圧レベルを調節する必要があり、そのために従来、画素電圧の領域が対称になる一定の共通電圧を共通電極に印加している。
【００１２】
これは、共通電圧に対する各画素電圧の領域が対称でない場合、各画素に充電される画素電圧量がフレーム毎に差が生じて、画素電圧の反転時に画面のフリッカー（flicker）現象が発生するためである。
【００１３】
フリッカー現象が発生すると、使用者の疲労感が増し、且つ残像が起こる深刻な問題点がある。特に、Ｒ、Ｇ、Ｂ間セルギャップの異なるマルチセルギャップ構造や液晶の誘電率が大きい場合、フリッカーがより著しく発生する。
【００１４】
マルチセルギャップ構造では、Ｒ、Ｇ、Ｂ間セルギャップによって液晶容量が変わるので、前記数式１の関係に基づいて画素毎に異なるキックバック電圧が発生する。したがって、特定階調を基準としてフリッカーの発生が最小になるように条件を設定すれば、他の階調ではフリッカーが発生してしまう。
【００１５】
そして、大部分の液晶表示装置において階調によって液晶容量が変わるので、階調によってキックバック電圧が異なり、フリッカーの発生を均一に補償できない。
【発明の開示】
【発明が解決しようとする課題】
【００１６】
したがって、本発明が目的とする技術的課題は、前記の問題点を解決するために、階調毎にキックバック電圧が異なって発生する液晶表示装置において、全画面にかけてフリッカーを除去することにある。
【課題を解決するための手段】
【００１７】
このような技術的課題を達成するための本発明の特徴による液晶表示装置は、互いに対向する第１基板及び第２基板；前記第１及び第２基板のうちの１つに形成されている画素電極、共通電極、及び保持容量電極を含み、液晶物質を媒介として画素電極と共通電極の間に液晶容量が形成され、絶縁層を媒介として画素電極と保持容量電極の間に保持容量が形成されているマルチセルギャップを有する液晶表示装置において、前記セルギャップによって前記維持容量が異なる。
【００１８】
ここで、セルギャップが小さい方の画素の保持容量が、セルギャップが大きい方の画素の保持容量よりも小さい。特に、画素毎に前記液晶容量と前記保持容量の和が一定である。
【００１９】
本発明の他の特徴による液晶表示装置の駆動装置は、複数のゲート線及びデータ線が各々行方向及び列方向に形成され、前記ゲート線とデータ線の交差にて定義される領域に各々前記ゲート線及びデータ線に連結されているスイッチング素子を有する複数の画素が形成されている液晶表示装置の駆動装置において、前記ゲート線にゲート電圧を供給するスキャン駆動部；印加されるデータ信号に基づいて該当する階調電圧を前記データ線に供給するデータ駆動部；及び複数の階調電圧を生成して前記データ駆動部に供給する階調電圧発生部を含み、前記階調電圧は正の階調電圧と負の階調電圧を含み、前記正の階調電圧と負の階調電圧の基準値が階調によって可変する。
【００２０】
ここで、階調電圧発生部は、印加される第１電圧と基準電圧の間に直列に形成された複数の抵抗を含み、複数の正の階調電圧を生成する第１抵抗列；前記基準電圧と印加される第２電圧の間に直列に形成された複数の抵抗を含み、複数の負の階調電圧を生成する第２抵抗列；及び前記第１電圧と第２電圧を分圧し基準電圧を生成して前記第１及び第２抵抗列に供給する電圧調節部を含み、前記基準電圧は階調によって可変する。特に、前記基準電圧は、（（第１電圧＋第２電圧）／２）＋αの値を有する。
【００２１】
一方、前記階調電圧発生部の電圧調節部は、前記第１電圧と第２電圧の間に直列に形成されている少なくとも２つ以上の抵抗からなり、前記抵抗は互いに異なる値を有する。
【発明の効果】
【００２２】
本発明によれば、階調毎に異なったキックバック電圧が発生する液晶表示装置においても、フリッカーの発生を均一に補償することができる。よって、一層向上した画質の画面を提供することができる。
【発明を実施するための最良の形態】
【００２３】
以下、図面を参照して本発明の実施例に対して詳細に説明する。
【００２４】
本発明の第１実施例では、マルチセルギャップ構造からなる液晶表示装置におけるフリッカーの除去に対して説明する。図１は、マルチセルギャップによって発生するキックバック電圧の変化を示すグラフである。
【００２５】
図１に示すように、セルギャップの大きさが異なる液晶表示装置では、セルギャップの大きさが大きくなるほどキックバック電圧が大きくなることが分かる。このようなキックバック電圧は、数式１のように、液晶容量（Clc）や保持容量（Cst）によってその値が可変するためである。
【００２６】
これを克服するためには、数式１の分母値が液晶容量（Clc）に関係なく同じであれば良い。即ち、液晶容量（Clc）＋保持容量（Cst）の値が一定であれば分母値が一定となり、発生するキックバック電圧値もどこでも同一になる。
【００２７】
このように液晶容量（Clc）＋保持容量（Cst）の値が一定値を持つためには、セルギャップに応じて保持容量（Cst）の値も可変する必要がある。
【００２８】
図２は、マルチセルギャップに応じて可変する液晶容量（Clc）と保持容量（Cst）の関係を示すグラフである。
【００２９】
図２のグラフから分かるように、液晶容量（Clc）と保持容量（Cst）の容量の和が定数であるためには、２つの容量が互いに反対値を持つように形成される必要がある。したがって、マルチセルギャップ構造では、セルギャップが低い方の画素は、相対的にセルギャップが高い方の画素よりも保持容量（Cst）を低く形成されなければならない。
【００３０】
図３は、本発明の第１実施例による液晶表示装置を正面から見た時の断面図であり、図４は図３に示すIV-IV'線による断面図である。
【００３１】
図３及び図４のように、本発明の実施例による液晶表示装置では、薄膜トランジスタ基板１００及び色フィルター基板２００を配設し、２つの基板間に液晶物質３０を注入して、それに含まれている液晶分子の方向子を垂直に配向し、２つの偏光板１２、２２を２つの基板１００、２００の外部にその偏光軸が互いに直交するように配置する。
【００３２】
２つの基板１００、２００が整列された状態で、薄膜トランジスタ基板の画素電極１９０の各小部分９１、９２、９３と色フィルター基板の共通電極２７０上に形成されている第１〜第３開口部２７１、２７２、２７３が重畳した状態となり、画素領域が複数の小ドメインに分割される。この時、画素電極１９０の各小部分９１、９２、９３は２つの長辺と２つの短辺からなり、各小部分の長辺はデータ線１７０もしくはゲート線１２０と並び、偏光板の偏光軸とは４５°をなす。ここで、データ線１７０やゲート線１２０と隣り合うように画素電極１９０の各小部分９１、９２、９３の長辺が位置する場合は、データ線１７０と長辺の間及びゲート線１２０と長辺の間に保持容量線１３０や保持容量電極１３３A、１３３B、１３３C、１３３Dを配置する。
【００３３】
一方、液晶物質３０は共通電極２７０と画素電極１９０の間に注入されており、本発明の実施例では、Ｒ、Ｇ、Ｂ色フィルター２３０A、２３０B、２３０Cの厚さが各々異なるため、共通電極２７０と画素電極１９０の間の間隔もＲ、Ｇ、Ｂ画素領域で各々異なる。即ち、Ｒ、Ｇ、Ｂ画素領域のセルギャップが各々異なる。例えば、Ｒ画素領域のセルギャップ（Ｒセルギャップ）が最も大きく、Ｇ画素領域のセルギャップ（Ｇセルギャップ）がその次であり、Ｂ画素領域のセルギャップ（Ｂセルギャップ）が最も小さい。この時、ＲセルギャップとＧセルギャップの平均値に比べてＢセルギャップが０．２±０．１５μmだけさらに小さい。
【００３４】
このように、Ｒ、Ｇ、Ｂ画素領域のセルギャップが互いに異なるマルチセルギャップ構造の液晶表示装置において、本発明の第１実施例では、画素電極と保持容量電極の間の重畳（over lap）面積を調節して、セルギャップの大きさに応じて保持容量（Cst）値を変更可能となるようにする。
【００３５】
即ち、図３及び図４に示すように、セルギャップが最も小さいＢ画素領域における画素電極９１と保持容量電極１３３A、１３３Dの重畳面積に比べて、その次にセルギャップが小さいＧ画素領域における画素電極９１と保持容量電極１３３A、１３３Dの重畳面積を大きくし、そして、Ｇ画素領域における画素電極９１と保持容量電極１３３A、１３３Dの重畳面積に比べて、セルギャップが最も大きいＲ画素領域における画素電極９１と保持容量電極１３３A、１３３Dの重畳面積をより大きくし、セルギャップが大きい方の画素領域では相対的にセルギャップが小さい方の画素よりも保持容量（Cst）を大きく形成する。
【００３６】
例えば、図２のように、セルギャップによる保持容量（Cst）の差は、約４．０μmセルギャップ付近では約２．５％±１％/０．１μmである。即ち、ＲＧＢ間に０．２μmセルギャップの段差を与える場合、約５％の保持容量（Cst）値の差を付与する必要があることが分かる。
【００３７】
このような第１実施例によれば、マルチセルギャップ構造においても、液晶容量（Clc）と保持容量（Cst）の和が一定値を持つことによって、キックバック電圧値がどこでも同一になり、フリッカー現象を防止できる。一方、本実施例では、基板全体にかけて保持容量電極と画素電極の重畳程度を調節したが、基板の上部または下部に形成された保持容量電極の面積を調節して画素電極との重畳程度を調節することもできる。
【００３８】
次に、本発明の第２実施例に基づいてフリッカーを除去するための構造について説明する。
【００３９】
本発明の第２実施例では、液晶に印加される電圧を調節して液晶容量（Clc）を可変にして、異なったキックバック電圧を発生させる。
【００４０】
具体的に、液晶は異方性誘電体であるため、液晶の方向子（director）方向によって誘電率が変わる。したがって、液晶に印加される電圧が可変すれば、セル内部の液晶容量（Clc）の値が変わる。
【００４１】
図５aは印加電圧による液晶の透過率と液晶容量（Clc）関係を示すグラフであり、図５bは印加電圧によるキックバック電圧の変化量を示すものである。
【００４２】
図５aから分かるように、液晶に印加される電圧が高くなるほど液晶の透過率も増加し、液晶容量（Clc）も増加する。したがって、階調によって液晶容量が変化し、その結果キックバック電圧が変化する。図５bのように、印加電圧に応じてキックバック電圧が概ね１７％以上変化する。この結果は、ＰＶＡ（patterned vertically aligned）液晶表示装置に対して測定されたものであり、ＴＮ（twisted nematic）液晶表示装置のように誘電率異方性が大きい場合は一層大きくなる。
【００４３】
このようなキックバック電圧を補正するために、共通電圧を特定電圧に固定すれば、その階調ではフリッカーがほとんど発生しないが、他の階調では依然としてフリッカーが発生する。図６は、このようなフリッカー発生例を示すものである。即ち、図６のように、共通電圧を特定電圧に合せれば、キックバック電圧と一致する部分はフリッカーがほとんど発生しないが、この部分を中心に両側に行くほどフリッカーは益々増加する。
【００４４】
このようなフリッカー発生を防止するために、本発明の第２実施例では、階調電圧を調節することによって階調毎にキックバック電圧が均一に発生するようにする。
【００４５】
図７は本発明の第２実施例による液晶表示装置の構造を示すものである。
【００４６】
図７に示したように、本発明の第２実施例による液晶表示装置は、ＬＣＤパネル１、ゲート駆動部２、データ駆動部３、駆動電圧発生部４、タイミング制御部５、階調電圧発生部６を含む。
【００４７】
データ駆動部３はソース駆動部とも言い、ＬＣＤパネル１内の各画素に伝達される電圧値を１ラインずつ下げる役割をする。より詳細には、データ駆動部３は、後述するタイミング制御部５から送られるデジタルデータをデータ駆動部内のシフトレジスター内に保存し、データをＬＣＤパネル１に送ることを命令する信号（ＬＯＡＤ信号）が出力されれば、それぞれのデータに該当する電圧を選択し、ＬＣＤパネル１内に該電圧を伝達する役割をする。
【００４８】
ゲート駆動部２はスキャン駆動部とも言い、データ駆動部３からのデータが画素に伝達されるように道を提供する役割をする。ＬＣＤパネル１の各画素は、スイッチ役割をするＴＦＴによってオンもしくはオフとなるが、このＴＦＴのオン及びオフは、ゲートに一定電圧（Von、Voff）が印加されることによって行なわれる。
【００４９】
このようにゲートをオンとするVon電圧とゲート信号をオフとするVoff電圧は、駆動電圧発生部４で生成される。駆動電圧発生部４は、前記Von、Voff電圧だけでなく、ＴＦＴ内のデータ電圧差の基準となるVcom電圧も生成する。
【００５０】
タイミング制御部５は、データ駆動部３及びゲート駆動部２を駆動するためのデジタル信号などを生成し、具体的には前記駆動部２、３に入力される信号の生成、データのタイミング調節、クロック調節などの役割をする。
【００５１】
そして、階調電圧発生部６は、データ駆動部３に入力される階調電圧を生成し、特に本発明の第２実施例では、階調毎に正の階調電圧と負の階調電圧が互いに対称しないように階調電圧を生成してデータ駆動部３に供給する。
【００５２】
図８は、本発明の第２実施例に基づく階調電圧発生部の概念的構造図である。
【００５３】
図８に示すように、本発明の第２実施例による階調電圧発生部６は、正（positive）の階調電圧を発生する複数の第１抵抗列６１と、第１抵抗列６１と直列連結されていて負（negative）の階調電圧を発生する複数の第２抵抗列６２からなる。
【００５４】
第１抵抗列６１は、液晶の正極性充電のための複数の階調電圧を生成するために、外部から印加される第１電圧と基準電圧の間に複数の抵抗（R0〜Rn）が直列連結されたものであって、第１電圧（RVDD）と各抵抗の間の接点がV(１)〜V(n)階調電圧となる。
【００５５】
第２抵抗列６２は、液晶の負極性充電のための複数の階調電圧を生成するために、基準電圧と第２電圧の間に複数の抵抗（R'0〜R'n+１）が直列連結されたものであって、基準電圧と各抵抗の間の接点がV'(１)〜V'（n）階調電圧となる。
【００５６】
このような構造において、１階調に対する正の階調電圧と負の階調電圧が互いに非対称的な値を持つようにするためには、第１抵抗列６１の特定抵抗Riと第２抵抗列６２の特定抵抗Ri'の値が互いに異なる値を持つ必要がある。しかし、第１及び第２抵抗列６１、６２の対応する抵抗Ri及びRi'の値を調節することは容易でないので、本発明の実施例では、第１抵抗列６１と第２抵抗列６２の間に印加される基準電圧を調節して、１階調に対する正の階調電圧と負の階調電圧が互いに非対称的な値を持つようにする。
【００５７】
このために、本発明の第２実施例では、第１抵抗列６１と第２抵抗列６２の間に安定した基準電圧を生成して供給する電圧調節部６３が並列に形成されている。
【００５８】
電圧調節部６３は、印加される電圧を分圧して第１抵抗列６１と第２抵抗列６２の間に基準電圧を提供する第１及び第２分圧抵抗（Rc、Rc'）を含む。ここで、第１分圧抵抗（Rc）と、第２分圧抵抗（Rc'）が互いに異なる値を有し、例えば次の関係を満足する値を有する。
【００５９】
【数２】
2005521901.tif 000004
したがって、基準電圧は（（第１電圧＋第２電圧）／２）＋αである。ここで、αは概ね△Vkb（第１階調におけるキックバック電圧−ホワイト階調におけるキックバック電圧）の１/２〜３倍の値を持つ。
【００６０】
図９aは従来階調電圧の発生例である。図９bはこのような本発明の第２実施例による階調電圧の発生例である。
【００６１】
図９aに示すように、従来は、第１電圧と第２電圧の１/２の電圧が基準電圧として印加され、第１抵抗列６１と第２抵抗列６２によって生成される複数の階調電圧が互いに対称になるようにした。  
【００６２】
ところが、本発明の第２実施例では、図９bのように、液晶の正極性充電及び負極性充電のための複数の階調電圧を生成する第１抵抗列６１と第２抵抗列６２の基準電圧を第１電圧と第２電圧の１/２電圧よりも大きくし、第１抵抗列６１と第２抵抗列６２によって生成される複数の階調電圧などが互いに対称にならず、階調毎に互いに異なる。
【００６３】
このような概念的構造に基づいて、実際液晶表示装置に適用される階調電圧発生部を構成すれば、図１０のような回路が実現する。
【００６４】
具体的に、第１抵抗列６１は、互いに直列連結された複数の抵抗列（R0〜R8）からなり、各抵抗間の接点を通じて複数の正の階調電圧（V0〜V7）が出力される。このために、各抵抗間の接点にはキャパシター（C0〜C7）が並列連結される。ここで、外部から印加される第１電圧（RVDD）がV0電圧として出力され、また、外部から印加されるVFD電圧がV7電圧として出力される。
【００６５】
なお、第２抵抗列６２は、互いに直列連結された複数の抵抗列（R9〜R18）からなり、各抵抗間の接点を通じて複数の正の階調電圧（V8〜V16）が出力される。このために、各抵抗間の接点にはキャパシター（C8〜C15）が並列連結される。ここで、外部から印加されるVFD電圧がV8電圧として出力され、また、抵抗R17と抵抗R18の間の電圧がV16電圧として出力される。
【００６６】
一方、電圧調節部６３は、第１電圧（RVDD）と第２電圧（例：接地電圧）の間に互いに直列連結された第１及び第２分圧抵抗（Rc1、Rc2）と、第１及び第２分圧抵抗（Rc1、Rc2）の接点に並列連結されたキャパシター（C）と、前記接点に連結された抵抗（Rc3）を含む。したがって、第１電圧（AVDD）と第２電圧の間の電圧が、第１及び第２分圧抵抗（Rc1、Rc2）によって分圧されてキャパシター（C）に保存され、以降キャパシター（C）に保存された電圧が抵抗（Rc3）を通り、基準電圧として第１抵抗列６１と第２抵抗列６２の間の接点に印加される。この時、第１分圧抵抗（Rc1）と第２分圧抵抗（Rc'）の抵抗値が互いに異なるため、第１電圧（RVDD）と第２電圧の１/２電圧よりも大きい電圧が基準電圧として印加される。
【００６７】
したがって、第１抵抗列６１は、第１電圧（RVDD）と電圧調節部６３から印加される基準電圧を分圧して複数の正の階調電圧（V0〜V7）を生成し、第２抵抗列６２は、基準電圧と第２電圧を分圧して複数の負の階調電圧（V8〜V16）を生成する。この時、基準電圧によって正の階調電圧（V0〜V7）と負の階調電圧（V8〜V16）が互いに対称ではない。
【００６８】
図１１はこのような本発明の第２実施例によるフリッカー補償例を示すものである。本発明の第２実施例によれば、図１１のように、低階調から高階調へ行くほど正の階調電圧及び負の階調電圧の中心値が変化する。即ち、高階調では低い値に、低階調では高い値に変化することが分かる。このような中心値の変化量を示す直線を直線方程式（y=ax+b）で表す時、勾配（a）は電圧調節部６３の第２分圧抵抗（Rc'）の大きさによって決定され、y切片（b）は共通電極電圧によって決定される。即ち、第２分圧抵抗（Rc'）と共通電極電圧を調節して、各階調毎に発生するフリッカーの発生量を調節できる。
【００６９】
このような第２実施例に基づいて、階調毎に異なるキックバック電圧が発生する液晶表示装置でも全画面にかけてフリッカーを除去することができる。
【００７０】
一方、印加電圧によるキックバック電圧の発生量は、図６に示されるように、単純直線状ではなく、かなり歪曲された曲線状で示される。この場合、フリッカーをより正確に調節するために、第２実施例において、正の階調電圧と負の階調電圧の中心値の変化量を示す直線を１つのみでなく、１つ以上、例えば歪曲程度によってそれぞれ異なる勾配を示す３つ程度の直線で表すこともできる。
【００７１】
図１２はこのような本発明の第３実施例による階調電圧生成のための階調電圧発生部の構造を示すものである。図１３は第３実施例によるフリッカー補償例を示すものである。
【００７２】
図１２に示すように、第２実施例と同様に、第１抵抗列６１と第２抵抗列６２が形成され、第２実施例とは異なって、電圧調節部６３で発生する基準電圧が１つ以上発生し、各々第１抵抗列６１もしくは第２抵抗列６２の任意抵抗間の接点に提供される。
【００７３】
このために、電圧調節部６３は３個以上の分圧抵抗を含み、本実施例では、第１電圧（RVDD）と第２電圧の間に４個の分圧抵抗が直列連結されており、第１分圧抵抗（Rc）と第２分圧抵抗（Rc'1）の間の接点を通じて第１基準電圧が生成され、第２分圧抵抗（Rc'1）と第３分圧抵抗（Rc'2）の間の接点を通じて第２基準電圧が生成され、第３分圧抵抗（Rc'2）と第４分圧抵抗（Rc'3）の間の接点を通じて第３基準電圧が生成され、第１抵抗列６１もしくは第２抵抗列６２に提供される。
【００７４】
図１２のように、第１基準電圧は第１抵抗列６１と第２抵抗列６２の間の接点に提供され、第２基準電圧及び第３基準電圧は第２抵抗列６２の抵抗のうちの任意抵抗の間の接点に各々提供される。したがって、各階調毎に第１基準電圧によって第１抵抗列６１と第２抵抗列６２で各々生成される正の階調電圧と負の階調電圧が対称でない値を持つようになり、また第２基準電圧及び第３基準電圧によって第２抵抗列６２で生成される複数の負の階調電圧が互いに異なる値を持つようになる。
【００７５】
その結果、図１３のように、正の階調電圧と負の階調電圧の中心値変化量を示す直線が互いに勾配が異なる３つ程度の直線で形成される。ここで、Rc＝Rc'1＋Rc'2＋Rc'3＋αであり、第２〜第４分圧抵抗（Rc'1、Rc'2、Rc'3）の大きさは、図１３に示す各直線の勾配によって決定される。
【００７６】
そして、第２及び第３基準定圧が印加される第２抵抗列６２の地点は、CV曲線、即ち印加電圧によるキックバック電圧発生量を示す曲線によって変わる。
【００７７】
一方、本実施例では、負の階調電圧を生成する第２抵抗列に互いに異なる値を持つ複数の基準電圧を供給して、正の階調電圧と負の階調電圧が非対称的な値を持つようにすることに対して記述したが、これとは異なって、特定値を持つ第１基準電圧が第１抵抗列と第２抵抗列の間に印加されるようにしつつ、互いに異なる値を持つ複数の基準電圧が第１抵抗列に印加されるようにすることもできる。
【００７８】
前記第２実施例及び第３実施例によれば、既存階調電圧発生部の抵抗値を変更しなくても、所望の形態の非対称的な正の階調電圧と負の階調電圧を生成することができる。
【００７９】
以上、本発明の実施例に対して説明したが、本発明は前記実施例に限定されず、その他の様々な変形や変更が可能である。
【図面の簡単な説明】
【００８０】
【図１】マルチセルギャップによって発生するキックバック電圧の変化を示すグラフである。
【図２】マルチセルギャップによって可変する液晶容量と保持容量の関係を示すグラフである。
【図３】本発明の第１実施例による液晶表示装置を正面から見た時の断面図である。
【図４】図３に示すIV-IV'線による断面図である。
【図５ａ】印加電圧による液晶の透過率と液晶容量（Clc）の変化を示すグラフである。
【図５ｂ】印加電圧によるキックバック電圧の変化量を示すグラフである。
【図６】フリッカー発生例を示すグラフである。
【図７】本発明の第２実施例による液晶表示装置の構造である。
【図８】本発明の第２実施例による階調電圧発生部の概念的構造図である。
【図９ａ】従来の階調電圧発生例を示すものである。
【図９ｂ】本発明の第２実施例による階調電圧発生例を示すものである。
【図１０】本発明の第２実施例による階調電圧発生部の詳細回路図である。
【図１１】本発明の第２実施例によるフリッカー補償例を示すグラフである。
【図１２】本発明の第３実施例による階調電圧発生部の概念的構造図である。
【図１３】本発明の第３実施例によるフリッカー補償例を示すグラフである。
【図１】
2005521901.tif 000005
【図２】
2005521901.tif 000006
【図３】
2005521901.tif 000007
【図４】
2005521901.tif 000008
【図５ａ】
2005521901.tif 000009
【図５ｂ】
2005521901.tif 000010
【図６】
2005521901.tif 000011
【図７】
2005521901.tif 000012
【図８】
2005521901.tif 000013
【図９ａ】
2005521901.tif 000014
【図９ｂ】
2005521901.tif 000015
【図１０】
2005521901.tif 000016
【図１１】
2005521901.tif 000017
【図１２】
2005521901.tif 000018
【図１３】
2005521901.tif 000019
【国際調査報告】
2005521901.tif 000020
2005521901.tif 000021